【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
複数の無線通信手段が利用可能であり、前記複数の無線通信手段の１つを用いて外部機器と無線通信する電子機器であって、
外部機器との過去の無線通信に用いた設定を、前記無線通信に用いたネットワークに関する設定と、前記外部機器との前記ネットワークでの通信に関する設定とに分けて記憶する記憶手段と、
前記記憶手段に記憶された設定のうち利用可能な設定を、無線通信しようとする外部機器の種類と、該無線通信に用いようとする無線通信手段との組み合わせに応じて抽出する制御手段と、
を有することを特徴とする電子機器。
【請求項２】
前記外部機器との無線通信に関する設定を行うためのインターフェースを表示する表示手段を更に有し、
前記制御手段は、前記記憶手段から抽出された利用可能な設定を、ユーザに選択可能に前記表示手段に表示するように制御することを特徴とする請求項１に記載の電子機器。
【請求項３】
前記ネットワークに関する設定が、前記電子機器がネットワークを形成するための設定と、他の機器が形成するネットワークに前記電子機器が参加するための設定を含むことを特徴とする請求項２に記載の電子機器。
【請求項４】
前記制御手段は、
前記組み合わせに応じて、前記ネットワークに関する設定のうち、利用可能な設定に対応するネットワークの識別情報を選択可能に前記表示手段に表示し、
前記ネットワークの識別情報のうち選択された識別情報に対応するネットワークで無線通信したことのある外部機器の識別情報を選択可能に前記表示手段に表示し、
前記外部機器の識別情報のうち選択された識別情報に対応する外部機器との前記対応するネットワークでの無線通信に関する設定を用いて、前記外部機器との無線通信を行うことを決定する、
ことを特徴とする請求項２または３に記載の電子機器。
【請求項５】
前記制御手段は、
前記複数の無線通信手段のうち有効な無線通信手段によって無線通信したことのある外部機器の識別情報を選択可能に前記表示手段に表示し、
選択された識別情報に対応する外部機器に応じて、該外部機器との無線通信に利用する無線通信手段を決定し、
前記電子機器は、前記決定した無線通信手段を用いて検索されたネットワークに参加するための設定が前記ネットワークに関する設定として記憶されている場合、該記憶されている設定を用いてネットワークとの接続を確立する、
ことを特徴とする請求項２または３に記載の電子機器。
【請求項６】
前記制御手段は、
前記複数の無線通信手段のうち有効な無線通信手段によって無線通信したことのある外部機器の識別情報を選択可能に前記表示手段に表示し、
選択された識別情報に対応する外部機器に応じて、該外部機器との無線通信に利用する無線通信手段を決定し、
前記電子機器は、前記選択された識別情報に対応する外部機器についての前記無線通信に関する設定に、ネットワークを形成するための設定が関連づけられている場合、該設定に基づいてネットワークを形成する、
ことを特徴とする請求項２または３に記載の電子機器。
【請求項７】
前記電子機器は、決定した無線通信手段を用いて検索されたネットワークに参加するための設定が前記ネットワークに関する設定として記憶されていない場合に、前記選択された識別情報に対応する外部機器についての前記無線通信に関する設定に、ネットワークを形成するための設定が関連づけられている場合、該設定に基づいてネットワークを形成することを特徴とする請求項６に記載の電子機器。
【請求項８】
前記複数の無線通信手段が、前記電子機器に着脱可能な無線通信手段を含むことを特徴とする請求項１から７のいずれか１項に記載の電子機器。
【請求項９】
複数の無線通信手段を利用可能であり、前記複数の無線通信手段の１つを用いて外部機器と無線通信する電子機器の制御方法であって、
前記電子機器は、外部機器との過去の無線通信に用いた設定を、前記無線通信に用いたネットワークに関する設定と、前記外部機器との前記ネットワークでの無線通信に関する設定とに分けて記憶する記憶手段を有し、
制御手段が、前記記憶手段に記憶された設定のうち利用可能な設定を、無線通信しようとする外部機器の種類と、該無線通信に用いようとする無線通信手段との組み合わせに応じて抽出する制御工程を有することを特徴とする電子機器の制御方法。
【請求項１０】
コンピュータを、請求項１から８のいずれか１項に記載の電子機器の各手段として機能させるためのプログラム。
【手続補正２】
【補正対象書類名】明細書
【補正対象項目名】０００７
【補正方法】変更
【補正の内容】
【０００７】
上述の目的は、複数の無線通信手段が利用可能であり、複数の無線通信手段の１つを用いて外部機器と無線通信する電子機器であって、外部機器との過去の無線通信に用いた設定を、無線通信に用いたネットワークに関する設定と、外部機器とのネットワークでの通信に関する設定とに分けて記憶する記憶手段と、記憶手段に記憶された設定のうち利用可能な設定を、無線通信しようとする外部機器の種類と、無線通信に用いようとする無線通信手段との組み合わせに応じて抽出する制御手段と、を有することを特徴とする電子機器によって達成される。
【手続補正３】
【補正対象書類名】明細書
【補正対象項目名】００１１
【補正方法】変更
【補正の内容】
【００１１】
図１は、本発明の実施形態に係るデジタルカメラ１００の機能構成例を示すブロック図である。制御部１０１は、１つ以上のプログラマブルプロセッサ（ＣＰＵやＭＰＵなど）を有する。制御部１０１は、例えば不揮発性メモリ１０３に記憶されたプログラムを作業用メモリに読み込んでプログラマブルプロセッサで実行することにより、デジタルカメラ１００の各部を制御し、デジタルカメラ１００の機能を実現する。なお、制御部１０１が複数のマイクロプロセッサを有する場合、個々のマイクロプロセッサで処理を分担することができる。また、制御部１０１がプログラムを実行して実現する動作の一部を、専用のハードウェア（ＤＳＰ、ＡＳＩＣ、ＡＳＳＰ、ＦＰＧＡなど）が実施してもよい。制御部１０１は、各種のＧＵＩをユーザに提示する制御手段としても機能する。
【手続補正４】
【補正対象書類名】明細書
【補正対象項目名】００３７
【補正方法】変更
【補正の内容】
【００３７】
Ｓ３０４で制御部１０１は、Ｓ３０３にて選択された通信方法と、履歴情報のネットワーク参加パラメータ２２０とに基づいて、利用可能な情報があるか否かを判定する。制御部１０１は、利用可能な情報があると判定されればＳ３０５に、ないと判定されればＳ３０６に、処理を進める。
【手続補正５】
【補正対象書類名】明細書
【補正対象項目名】００３８
【補正方法】変更
【補正の内容】
【００３８】
Ｓ３０５で制御部１０１は、ネットワーク参加パラメータ２２０のうち、Ｓ３０４で利用可能と判断された情報を抽出する。そして、制御部１０１は、抽出した情報に対応するネットワーク識別情報（ここではＥＳＳＩＤ）を、図４に示す通信設定選択画面４０３によって表示部１０６に選択可能に表示し、ユーザによる選択を待機する。
【手続補正６】
【補正対象書類名】明細書
【補正対象項目名】００３９
【補正方法】変更
【補正の内容】
【００３９】
ここでは通信方法として”内蔵ＷｉＦｉ”が選択されているため、２．４ＧＨｚ帯でのみ通信可能である。図２の履歴情報のネットワーク参加パラメータ２２０を参照すると、ネットワーク参加パラメータ２２１〜２２３のうち、ネットワーク参加パラメータ２２２はチャネル番号が３６（５ＧＨｚ帯）である。そのため制御部１０１は、ネットワーク参加パラメータ２２２は内蔵ＷｉＦｉでは使用できないと判断する。一方、ネットワーク参加パラメータ２２１、２２３はチャネル番号が１、６（２．４ＧＨｚ帯）である。そのため制御部１０１は、ネットワーク参加パラメータ２２１および２２３を利用可能な情報と判定し、ネットワーク参加パラメータ２２１および２２３に対応するネットワーク識別情報を選択可能に表示部１０６に表示させる。制御部１０１はまた、通信設定選択画面４０３に、新たなネットワークに接続することを選択するための「新規接続」を選択肢として含める。
【手続補正７】
【補正対象書類名】明細書
【補正対象項目名】００４１
【補正方法】変更
【補正の内容】
【００４１】
Ｓ３０４で履歴情報に利用可能な情報がないと判定された場合、制御部１０１はＳ３０６で新規接続設定処理を行う。具体的には、通信設定選択画面４０３において「新規接続」が選択された場合と同様の処理であってよい。必要なパラメータが入力されると、制御部１０１は処理をＳ３０８に進める。
【手続補正８】
【補正対象書類名】明細書
【補正対象項目名】００４３
【補正方法】変更
【補正の内容】
【００４３】
Ｓ３０９で制御部１０１は、Ｓ３０１にて選択された通信機能と、履歴情報の接続機器情報２１０とに基づいて、利用可能な情報があるか否かを判定する。制御部１０１は、利用可能な情報があると判定されればＳ３１０に、ないと判定されればＳ３１１に、処理を進める。
【手続補正９】
【補正対象書類名】明細書
【補正対象項目名】００４４
【補正方法】変更
【補正の内容】
【００４４】
Ｓ３１０で制御部１０１は、接続機器情報２１０のうち、Ｓ３０９で利用可能と判断された情報を抽出する。そして、制御部１０１は、抽出した情報に対応する機器の識別情報（ここでは登録名）を、図４に示す機能設定選択画面４０５によって表示部１０６に選択可能に表示し、ユーザによる選択を待機する。
【手続補正１０】
【補正対象書類名】明細書
【補正対象項目名】００４５
【補正方法】変更
【補正の内容】
【００４５】
ここでは通信機能として”ＰＣ”が選択されている。図２の履歴情報の接続機器情報２１０を参照すると、接続機器情報２１１〜２１５のうち、機器種別が”ＰＣ”であるのは接続機器情報２１３と２１５である。そのため制御部１０１は、接続機器情報２１３および２１５を利用可能な情報と判定し、接続機器情報２１３および２１５に対応する機器識別情報”ＰＣ１”、”ＰＣ２”を選択可能に機能設定選択画面４０５に表示させる。制御部１０１はまた、機能設定選択画面４０５に、新たな接続機器を設定するための「新規接続」を選択肢として含める。
【手続補正１１】
【補正対象書類名】明細書
【補正対象項目名】００４７
【補正方法】変更
【補正の内容】
【００４７】
Ｓ３０９で履歴情報に利用可能な情報がないと判定された場合、制御部１０１はＳ３１１で新規機能設定処理を行う。具体的には、機能設定選択画面４０５において「新規接続」が選択された場合と同様の処理であってよい。その後、制御部１０１は処理をＳ３１３に進める。
【手続補正１２】
【補正対象書類名】明細書
【補正対象項目名】００５２
【補正方法】変更
【補正の内容】
【００５２】
Ｓ５０１で制御部１０１は、現在有効な通信方法（ここでは接続部１０８および通信部１０９）と、履歴情報の接続機器情報２１０とに基づいて、利用可能な情報があるか否かを判定する。制御部１０１は、利用可能な情報があると判定されればＳ５０２に、ないと判定されればＳ５０３に、処理を進める。
【手続補正１３】
【補正対象書類名】明細書
【補正対象項目名】００５３
【補正方法】変更
【補正の内容】
【００５３】
Ｓ５０２で制御部１０１は、接続機器情報２１０のうち、Ｓ５０１で利用可能と判断された情報を抽出する。そして、制御部１０１は、抽出した情報に対応する機器の識別情報（ここでは登録名）を、図６に示す通信設定選択画面６０１によって表示部１０６に選択可能に表示し、ユーザによる選択を待機する。
【手続補正１４】
【補正対象書類名】明細書
【補正対象項目名】００５４
【補正方法】変更
【補正の内容】
【００５４】
ここでは、通信部１０９（内蔵ＷｉＦｉ）、接続部１０８に接続された無線アダプタ１１０（外付けＷｉＦｉ）が有効である。したがって、制御部１０１は、図７（ｃ）に示した組み合わせに従い、ＦＴＰ（サーバ）、ＰＣ、スマートフォンのいずれに該当する接続機器情報も利用可能と判定する。そのため、接続機器情報２１１〜２１５が利用可能と判定される。なお、接続部１０８に無線アダプタ１１０が接続されていない場合、制御部１０１はＰＣおよびスマートフォンに該当する接続機器情報を利用可能と判定する。そのため、接続機器情報２１１、２１２、２１３、および２１５が利用可能と判定される。
【手続補正１５】
【補正対象書類名】明細書
【補正対象項目名】００５５
【補正方法】変更
【補正の内容】
【００５５】
図６に示す通信設定選択画面６０１は、利用可能と判定された接続機器情報のうち、「接続順」が最も大きいもの（直近の通信が終了してからの経過時間が短いもの）から３つに関してユーザに提示するものとする。通信設定選択画面６０１では、接続順の大きい方から順に接続機器情報２１５，２１４，２１３に関する表示を行っている。ここでは、接続機器情報のうち、登録名を表示するものとする。しかし、他の実施形態では利用可能と判定されたすべての機器接続情報に関して表示を行うようにしてもよい。予め定められた１画面あたりの最大表示数を超える数の接続機器情報が利用可能と判定された場合、画面をページ送りまたはスクロール可能に構成することで、利用可能と判定されたすべての機器接続情報に関する表示を行ってもよい。
【手続補正１６】
【補正対象書類名】明細書
【補正対象項目名】００５７
【補正方法】変更
【補正の内容】
【００５７】
一方、Ｓ５０１で履歴情報に利用可能な情報がないと判定された場合、制御部１０１はＳ５０３で新規機能設定処理を行う。例えば制御部１０１は、接続機器情報２１０の機種種別からファイルの上書きまでの各項目を入力可能な機能設定画面を表示部１０６に表示し、ユーザに入力させることができる。機能設定が終了すると、制御部１０１は処理をＳ５０５に進める。
【手続補正１７】
【補正対象書類名】明細書
【補正対象項目名】００５５
【補正方法】変更
【補正の内容】
【００５５】
図６に示す通信設定選択画面６０１は、使用可能と判定された接続機器情報のうち、「接続順」が最も大きいもの（直近の通信が終了してからの経過時間が短いもの）から３つに関してユーザに提示するものとする。通信設定選択画面６０１では、接続順の大きい方から順に接続機器情報２１５，２１４，２１３に関する表示を行っている。ここでは、接続機器情報のうち、登録名を表示するものとする。しかし、他の実施形態では使用可能と判定されたすべての接続機器情報に関して表示を行うようにしてもよい。予め定められた１画面あたりの最大表示数を超える数の接続機器情報が使用可能と判定された場合、画面をページ送りまたはスクロール可能に構成することで、使用可能と判定されたすべての接続機器情報に関する表示を行ってもよい。
【手続補正１８】
【補正対象書類名】明細書
【補正対象項目名】００６２
【補正方法】変更
【補正の内容】
【００６２】
Ｓ５０７で制御部１０１は、ネットワーク参加パラメータ２２０に登録されているアクセスポイントが検索された場合、検索されたアクセスポイントが形成しているネットワークとの接続動作を実行し、接続を確立する。接続動作には、Ｓ５０５で決定された通信方法と、履歴情報に記憶されたネットワーク参加パラメータとを用いる。なお、ネットワーク参加パラメータ２２０に登録されているアクセスポイントが複数検索された場合、制御部１０１は例えば「接続順」の番号が大きいアクセスポイントから優先的に接続動作を実行する。制御部１０１は、接続動作の実行中、図６に示す接続中画面６０５を表示部１０６に表示させてもよい。図６の接続中画面６０５は、”ＮＥＴＷＯＲＫ−１００”に自動接続している際の例を示している。履歴情報を用いた自動接続が完了すると、制御部１０１は処理をＳ５１０に進める。なお、Ｓ５０８を経由してＳ５０７を実行する場合の動作については後述する。